(57)【要約】      （修正有）【課題】検索フォルダ閲覧時の表示速度、視認性、操作性を向上させる。【解決手段】検索フォルダ下に複数の検索サブフォルダを作成することが可能であり、前記検索フォルダ下の検索サブフォルダの検索条件は、検索フォルダの検索条件かつ検索サブフォルダの検索条件であり、検索フォルダ直下には何れの検索サブフォルダにも含まれないフォルダ要素が在るコンテンツ管理方法であって、前記検索フォルダ直下に検索サブフォルダに含まれないフォルダ要素をすべて含むフォルダを作成するフォルダ作成工程を有する。【選択図】図１
2010092118.tif 000002
【特許請求の範囲】
【請求項１】
検索フォルダ下に複数の検索サブフォルダを作成することが可能であり、前記検索フォルダ下の検索サブフォルダの検索条件は、検索フォルダの検索条件かつ検索サブフォルダの検索条件であり、検索フォルダ直下には何れの検索サブフォルダにも含まれないフォルダ要素が在るコンテンツ管理方法であって、
前記検索フォルダ直下に検索サブフォルダに含まれないフォルダ要素をすべて含むフォルダを作成するフォルダ作成工程を有することを特徴とするコンテンツ管理方法。
【請求項２】
前記フォルダ作成工程では、前記検索フォルダ直下の検索サブフォルダを除いたフォルダ要素が一定数以上の場合に、自動的に前記フォルダを作成することを特徴とする請求項１に記載のコンテンツ管理方法。
【請求項３】
前記フォルダのフォルダ要素が一定数以上の場合、自動的に検索サブフォルダの作成を促す検索サブフォルダ作成促進表示工程を有することを特徴とする請求項２に記載のコンテンツ管理方法。
【請求項４】
検索フォルダ下に複数の検索サブフォルダを作成することが可能であり、前記検索フォルダ下の検索サブフォルダの検索条件は、検索フォルダの検索条件かつ検索サブフォルダの検索条件であり、検索フォルダ直下には何れの検索サブフォルダにも含まれないフォルダ要素が在るコンテンツ管理装置であって、
前記検索フォルダ直下に検索サブフォルダに含まれないフォルダ要素をすべて含むフォルダを作成するフォルダ作成手段を有することを特徴とするコンテンツ管理装置。
【請求項５】
前記フォルダ作成手段は、前記検索フォルダ直下の検索サブフォルダを除いたフォルダ要素が一定数以上の場合に、自動的に前記フォルダを作成することを特徴とする請求項４に記載のコンテンツ管理装置。
【請求項６】
前記フォルダのフォルダ要素が一定数以上の場合、自動的に検索サブフォルダの作成を促す検索サブフォルダ作成促進表示手段を有することを特徴とする請求項５に記載のコンテンツ管理装置。
【請求項７】
検索フォルダ下に複数の検索サブフォルダを作成することが可能であり、前記検索フォルダ下の検索サブフォルダの検索条件は、検索フォルダの検索条件かつ検索サブフォルダの検索条件であり、何れの検索サブフォルダにも含まれないフォルダ要素は検索フォルダ直下に含むコンテンツ管理であって、
前記検索フォルダ直下に検索サブフォルダに含まれないフォルダ要素が在るフォルダを作成するフォルダ作成ステップをコンピュータに実行させるためのプログラム。
【請求項８】
前記フォルダ作成ステップでは、前記検索フォルダ直下の検索サブフォルダを除いたフォルダ要素が一定数以上の場合に、自動的に前記フォルダの作成を行うことを特徴とする請求項７に記載のプログラム。
【請求項９】
前記フォルダのフォルダ要素が一定数以上の場合、自動的に検索サブフォルダの作成を促す検索サブフォルダ作成促進表示ステップをコンピュータに実行させるための請求項８に記載のプログラム。
【発明の詳細な説明】
【技術分野】
【０００１】
本発明は、検索フォルダを用いて、コンテンツ管理を行うコンテンツ管理方法、コンテンツ管理装置及びプログラムに関するものである。
【背景技術】
【０００２】
従来、検索フォルダ下に作成する検索サブフォルダに含まれるフォルダ要素として検索フォルダと検索サブフォルダのアンド条件のフォルダ要素を配置することが行われていた（例えば、特許文献１参照）。
また、分類サブフォルダの分類条件に合致するものは、分類フォルダ直下から条件に合致した分類サブフォルダ下に移動するということが行われていた。（例えば、特許文献２参照）。
【０００３】
【特許文献１】特開平１１−４５２５６号公報
【特許文献２】特開平７−１２１４１３号公報
【発明の開示】
【発明が解決しようとする課題】
【０００４】
従来、検索フォルダ下に検索サブフォルダを作成し、検索フォルダと検索サブフォルダのアンド条件でフォルダ要素を配置することが行われていた。しかしながら、検索サブフォルダの条件に合致したものを検索フォルダ直下から除かない場合は、検索フォルダ直下のフォルダ要素数が多く、検索フォルダを開いた際に、フォルダ要素の表示に時間がかかるという問題があった。また、従来分類（検索）フォルダ直下のフォルダ要素で分類（検索）サブフォルダの条件に合致したものを分類（検索）フォルダ直下から分類サブフォルダ下に移すことが行われていた。
【０００５】
しかしながら、検索フォルダ直下に分類（検索）サブフォルダに移らなかったフォルダ要素が多く残った場合は、検索フォルダを開いた際にフォルダ要素の表示に時間がかかるという問題があった。また、小さな表示装置上で多くのフォルダ要素を表示すると視認性、操作性が悪いという問題もあった。
【０００６】
そこで、本発明は、検索フォルダ直下のフォルダ要素を「その他」フォルダ下にまとめる「その他」フォルダの作成手段を提供し、表示速度の向上、視認性、操作性の向上を目的とする。
また、「その他」フォルダの自動作成や検索サブフォルダの自動作成促進による利便性の向上を目的としている。
【課題を解決するための手段】
【０００７】
本発明は、検索フォルダ下に複数の検索サブフォルダを作成することが可能であり、前記検索フォルダ下の検索サブフォルダの検索条件は、検索フォルダの検索条件かつ検索サブフォルダの検索条件であり、検索フォルダ直下には何れの検索サブフォルダにも含まれないフォルダ要素が在るコンテンツ管理方法であって、前記検索フォルダ直下に検索サブフォルダに含まれないフォルダ要素をすべて含むフォルダを作成するフォルダ作成工程を有することを特徴とする。
【発明の効果】
【０００８】
本発明によれば、検索フォルダ閲覧時にフォルダ要素が大量に表示するための処理時間を減少させる効果がある。
また、例えば、検索フォルダ閲覧時にフォルダ要素が大量に表示することがないため、特に小画面における視認性と操作性が向上する効果がある。また、例えば、検索フォルダ直下の大量のフォルダ要素を閲覧後に「その他」フォルダを作るのではなく、閲覧前には「その他」フォルダが作成されているという効果がある。
【０００９】
また、例えば、「その他」フォルダ下のフォルダ要素数が大量の場合は、「その他」フォルダを作成しても「その他」フォルダ自体の閲覧時の表示時間や視認性が問題となる。しかし、「その他」フォルダ下のフォルダ要素数を減少させ、表示時間や視認性が向上するという効果がある。
【発明を実施するための最良の形態】
【００１０】
（第１の実施形態）
第１の実施形態について、図を参照して説明する。
まず、本実施形態に係るコンテンツ管理装置としてのコンピュータ装置の構成について、図１を参照して説明する。なお、コンピュータ装置は、それぞれ単一の情報処理装置で実現してもよいし、必要に応じた複数の情報処理装置に各機能を分散して実現するようにしてもよい。複数の装置で構成される場合は、互いに通信可能なようにＬｏｃａｌ  Ａｒｅａ  Ｎｅｔｗｏｒｋ（ＬＡＮ）等で接続されている。
【００１１】
図１において、コンテンツ管理装置（１００）は、複数のコンテンツを管理する装置である。コンテンツ管理装置（１００）において、検索フォルダ作成部（１０１）は、検索条件を指定し、検索フォルダの作成を行う。検索フォルダは、検索条件を保持し、検索フォルダ作成時や検索フォルダ閲覧時に検索部（１０４）により、コンテンツ管理装置（１００）が管理しているコンテンツに対し検索を行い、検索フォルダのフォルダ要素の決定を行う。
【００１２】
検索サブフォルダ作成部（１０２）は、検索条件を指定し、検索フォルダ下に検索サブフォルダの作成を行う。検索サブフォルダは、検索フォルダ同様に検索条件を保持する。検索サブフォルダ作成時や検索サブフォルダ閲覧時あるいは検索フォルダ閲覧時に検索部（１０４）によりコンテンツ管理装置（１００）が管理しているコンテンツに対し検索を行う。そして、検索サブフォルダのフォルダ要素の決定を行う。
【００１３】
「その他」フォルダ作成部（１０３）は、検索フォルダ下に「その他」フォルダの作成を行う。作成された「その他」フォルダのフォルダ要素は、検索フォルダに指定した検索条件で、かつ検索フォルダ下の検索サブフォルダに指定した検索条件の否定を検索条件として検索部（１０４）により検索することで決定する。つまり、「その他」フォルダ下のフォルダ要素は、検索フォルダの検索条件に合致しているが、いずれの検索サブフォルダにも含まれていないフォルダ要素のみが含まれる。
【００１４】
図２は、コンテンツ管理装置の概略構成を示すブロック図である。
図２において、２０１は、Ｃｅｎｔｒａｌ  Ｐｒｏｃｅｓｓｉｎｇ  Ｕｎｉｔ（ＣＰＵ）である。ＣＰＵ２０１は、ＲＯＭ２０２、記憶装置（ＨＤＤ）２０３に格納された制御プログラムに基づいてＣＰＵデバイスに接続された各デバイスを制御する。
２０２は、Ｒｅａｄ  Ｏｎｌｙ  Ｍｅｍｏｒｙ（ＲＯＭ）である。ＲＯＭ２０２は、各種の制御プログラムやデータを保持する。
２０４は、Ｒａｎｄｏｍ  Ａｃｃｅｓｓ  Ｍｅｍｏｒｙ（ＲＡＭ）である。ＲＡＭ２０４は、ＣＰＵ２０１のワーク領域、エラー処理時のデータの退避領域、制御プログラムのロード領域等を有する。
【００１５】
２０３は、例えばＨＤＤ等の記憶装置であり、各種制御プログラムや各種データを保存する。
２０５は、ネットワーク・インターフェイスであり、他の情報装置等とネットワーク２０６を介して通信を行うことができる。
２０７は、ＣＰＵバスであり、アドレスバス、データバス及びコントロールバスを含む。
ＣＰＵ２０１に対する制御プログラムの提供は、ＲＯＭ２０２、記憶装置２０３から行うこともできるし、ネットワーク２０６を介して他の情報装置等から行うこともできる。
【００１６】
以下、検索フォルダの仕組みについて図面を用いて詳細に説明する。
図６は、コンテンツ管理装置（１００）が管理しているコンテンツの一覧である。
コンテンツ１は、撮影年が「２００５」、ファイルタイプが「ＲＡＷ」、フラッシュ使用が「有」である。
コンテンツ２は、撮影年が「２００５」、ファイルタイプが「ＪＰＥＧ」、フラッシュ使用が「有」である。
コンテンツ３は、撮影年が「２００５」、ファイルタイプが「ＲＡＷ」、フラッシュ使用が「なし」である。
コンテンツ４は、撮影年が「２００５」、ファイルタイプが「ＪＰＥＧ」、フラッシュ使用が「なし」である。
コンテンツ５は、撮影年が「２００５」、ファイルタイプが「ＴＩＦＦ」、フラッシュ使用が「なし」である。
コンテンツ６は、撮影年が「２００５」、ファイルタイプが「ＪＰＥＧ」、フラッシュ使用が「有」である。
コンテンツ７は、撮影年が「２００５」、ファイルタイプが「ＪＰＥＧ」、フラッシュ使用が「なし」である。
コンテンツ８は、撮影年が「２００４」、ファイルタイプが「ＴＩＦＦ」、フラッシュ使用が「有」である。
コンテンツ９は、撮影年が「２００４」、ファイルタイプが「ＪＰＥＧ」、フラッシュ使用が「なし」である。
コンテンツ１０は、撮影年が「２００４」、ファイルタイプが「ＪＰＥＧ」、フラッシュ使用が「有」である。
コンテンツ１１は、撮影年が「２００４」、ファイルタイプが「ＲＡＷ」、フラッシュ使用が「なし」である。
【００１７】
まず、図６に示すコンテンツ１からコンテンツ１１という状況で検索フォルダ作成部（１０１）で検索フォルダＫ１を検索条件の検索対象が入力撮影年で、検索条件の比較演算子が＝（イコール）で、検索条件の値が「２００５」で作成を行う。
【００１８】
図７は、検索フォルダＫ１が作成されたときのフォルダ構成を示している。
図７において、検索フォルダＫ１直下には、検索条件が撮影年＝（イコール）「２００５」に合致するコンテンツ１からコンテンツ７が含まれている。
次に、図７に示すフォルダ構成状況に対して、検索サブフォルダ作成部（１０２）で検索サブフォルダＳ１を検索条件がファイルタイプ＝（イコール）「ＲＡＷ」として作成を行う。
【００１９】
図８は、検索サブフォルダＳ１が作成されたときのフォルダ構成を示している。
図８において、検索フォルダＫ１下には、検索サブフォルダＳ１、コンテンツ２、コンテンツ４、コンテンツ５、コンテンツ６、コンテンツ７が含まれる。
また、図８において、検索サブフォルダＳ１下には、検索条件が撮影年＝（イコール）「２００５」かつファイルタイプ＝（イコール）「ＲＡＷ」に合致するコンテンツ１、コンテンツ３が含まれる。
また、図８において、検索フォルダＫ１直下には、検索条件が撮影年イコール（＝）「２００５」かつファイルタイプ≠（ノットイコール）「ＲＡＷ」に合致するコンテンツ２、コンテンツ４、コンテンツ５、コンテンツ６、コンテンツ７が含まれる。
【００２０】
次に、図８のフォルダ構成状況に対して「その他」フォルダ作成部（１０３）は、「その他」フォルダの作成を行う。
図９は、「その他」フォルダが作成されたときのフォルダ構成を示している。
図９において、検索フォルダＫ１下には、検索サブフォルダＳ１と「その他」フォルダとが含まれる。
図９において、検索サブフォルダＳ１下には、検索条件が撮影年＝（イコール）「２００５」、かつファイルタイプ＝（イコール）「ＲＡＷ」に合致するコンテンツ１、コンテンツ３が含まれる。
図９において、「その他」フォルダには、検索条件が撮影年＝（イコール）「２００５」かつファイルタイプ≠（ノットイコール）「ＲＡＷ」に合致するコンテンツ２、コンテンツ４、コンテンツ５、コンテンツ６、コンテンツ７が含まれる。
更に、図９に示すフォルダ構成状況に対して、検索サブフォルダ作成部（１０２）は、検索サブフォルダＳ２を検索条件がフラッシュ使用＝（イコール）「有」として作成を行う。
【００２１】
図１０は、検索サブフォルダＳ２が作成されたときのフォルダ構成を示している。
図１０において、検索フォルダＫ１下には、検索サブフォルダＳ１、検索サブフォルダＳ２及び「その他」フォルダが含まれる。
図１０において、検索サブフォルダＳ１下には、検索条件が撮影年＝（イコール）「２００５」かつファイルタイプ＝（イコール）「ＲＡＷ」に合致するコンテンツ１、コンテンツ３が含まれる。
図１０において、検索サブフォルダＳ２下には、検索条件が撮影年＝（イコール）「２００５」かつフラッシュ使用＝（イコール）「有」に合致するコンテンツ１、コンテンツ２、コンテンツ６が含まれる。
図１０において、「その他」フォルダには、コンテンツ管理装置（１００）が管理しているコンテンツの中から、検索条件が「２００５」であり、ファイルタイプ「ＲＡＷ」ではない、かつフラッシュ使用「有」ではない、に合致するコンテンツが含まれる。すなわち、「その他」フォルダには、コンテンツ４、コンテンツ５、コンテンツ７が含まれる。
「その他」フォルダの検索条件は、検索サブフォルダの検索条件変更や検索サブフォルダの追加により自動的に算出されていることは言うまでもない。なお、検索フォルダ下や検索サブフォルダ下のフォルダ要素はコンテンツの実体が配置されているものではなく、仮想的にコンテンツが含まれていることは言うまでもない。
【００２２】
（第２の実施形態）
第２の実施形態では、「その他」フォルダを自動作成する処理について図面を参照して説明する。
図８では、検索サブフォルダＳ１が作成されたときのフォルダ構成を示している。図８に示すフォルダ構成の状況において、検索フォルダＫ１の閲覧を指示されたときに、図３の処理を実行することで、「その他」フォルダを自動作成する処理について説明する。
【００２３】
まず、図３に示すフローチャートのステップＳ３０１において、検索フォルダ直下の検索サブフォルダを除いたフォルダ要素数をカウントする。そして、フォルダ要素数が一定数以上であるか否かを判定する。一定数以上の場合、ステップＳ３０２に処理を進める。ここでは、一定数を５とする。図８に示すフォルダ構成の状況において、検索フォルダ直下にはコンテンツ２、コンテンツ４、コンテンツ５、コンテンツ６、コンテンツ７の５つのフォルダ要素が存在する。このように、「その他」フォルダを自動作成するための一定数は、５なので、ステップＳ３０２に処理を進める。
【００２４】
ステップＳ３０２では、「その他」フォルダ作成部（１０３）は、「その他」の自動フォルダ作成を行う。「その他」フォルダ作成では、「その他」フォルダ作成時に条件指定等の新たな操作は不要なので、第１の実施形態の「その他」フォルダ作成と同じ処理を行えば良いことは言うまでもない。したがって、図３に示すフローチャートの処理完了後は、図８に示すフォルダ構成は、自動的に図９に示すフォルダ構成となる。
【００２５】
ステップＳ３０１において、検索フォルダ直下の検索サブフォルダを除くフォルダ要素数が一定数以上でない場合、そのまま図３に示すフローチャートの処理を終了する。なお、
「その他」フォルダを自動作成するにあたり、検索サブフォルダが作成されていてもいなくても構わないことは言うまでもない。また、図３に示すフローチャートの「その他」フォルダ自動作成のための処理の実行は、検索フォルダを作成した時、検索フォルダを閲覧する時、検索フォルダに新たなフォルダ要素が加わった時等の何れでも構わないことは言うまでもない。
【００２６】
（第３の実施形態）
次に、図１に示すコンテンツ管理装置（１００）において、検索サブフォルダ作成促進表示部（１０５）について説明する。検索サブフォルダ作成促進表示部（１０５）は、「その他」フォルダ下のフォルダ要素が大量の場合に「その他」フォルダを閲覧することで発生する表示処理に時間がかかることを防止することを目的としている。そのため、「その他」フォルダ下のフォルダ要素が大量の場合に検索サブフォルダの作成を促す処理を行う。
【００２７】
以下、図面を参照して説明する。
図４に示すフローチャートにおいて、ステップＳ４０１において、「その他」フォルダ下のフォルダ要素数をカウントし、「その他」フォルダ下のフォルダ要素数が予め決められている一定数以上の場合、ステップＳ４０２に処理を進める。
ステップＳ４０２において、検索サブフォルダ作成のための図５に示す画面表示を行う。
図５は、検索サブフォルダ作成画面である。図５において、フォルダ名入力欄（５０１）は、検索サブフォルダのフォルダ名を入力する。図５において、検索条件の検索対象入力欄（５０２）は、検索サブフォルダの検索条件の検索対象入力を入力する。例えば、「撮影年」と入力する。図５において、検索条件の比較演算子入力欄（５０３）は、検索サブフォルダの検索条件の比較演算子を入力する。例えば、＝「イコール」と入力する。
【００２８】
図５において、検索条件の値入力欄（５０４）は、検索サブフォルダの検索条件の値を入力する。例えば、「２００５」と入力する。図５において、作成ボタン５０５は、押下されることで入力欄に入力された項目で検索サブフォルダの作成処理を行うものである。検索サブフォルダ作成処理は、第１の実施形態の検索サブフォルダ作成と同じ処理を行えばよいことは言うまでもない。
また、「その他」フォルダを作成した時、「その他」フォルダを閲覧する時、「その他」フォルダに新たなフォルダ要素が加わった時等、何れであっても構わないことは言うまでもない。
なお、検索サブフォルダ作成促進表示後に検索サブフォルダ作成を行っても、「その他」フォルダのフォルダ要素数が一定数以上ならば、さらに図４に示すフローチャートの処理を行うことも好ましい。
【００２９】
（第４の実施形態）
本実施形態では、第２の実施形態、第３の実施形態において、それぞれの定数を装置別、ユーザ別、検索フォルダ別及びそれらの組合せによって指定できることも好ましい。
【００３０】
（第５の実施形態）
本実施形態では、検索フォルダ閲覧時に、「その他」フォルダは常に一番下又は一番上に表示し、他の検索フォルダとはアイコンや色等で識別可能にすることで、視認性の向上を図ることも好ましい。
【００３１】
（第６の実施形態）
第１の実施形態〜第５の実施形態において、検索フォルダ下及び検索サブフォルダ下のフォルダ要素としてコンテンツを用いて説明してきた。しかしながら、これに限るものではない。検索フォルダ下及び検索サブフォルダ下のフォルダ要素としてフォルダが含まれることも好ましい。
【００３２】
（第７の実施形態）
第１の実施形態〜第６の実施形態において、検索フォルダと検索サブフォルダの２階層で説明してきたがこれに限るものではない。検索サブフォルダ下に検索サブサブフォルダを作成すること、あるいは、さらに階層を深めることも好ましい。その際、検索サブフォルダと検索サブサブフォルダとの関係は、第１の実施形態〜第６の実施形態において、説明してきた検索フォルダと検索サブフォルダの関係と同じである。
【００３３】
上述した本発明の実施形態におけるコンテンツ管理装置を構成する各手段、並びにコンテンツ管理方法の各ステップは、コンピュータのＲＡＭやＲＯＭ等に記憶されたプログラムが動作することによって実現できる。このプログラム及び前記プログラムを記録したコンピュータ読み取り可能な記録媒体は本発明に含まれる。
【００３４】
また、本発明は、例えば、システム、装置、方法、プログラムもしくは記録媒体等としての実施形態も可能であり、具体的には、一つの機器からなる装置に適用してもよい。
【００３５】
なお、本発明は、上述した実施形態の機能を実現するソフトウェアのプログラムを、システム又は装置に直接、又は遠隔から供給する。そして、そのシステム又は装置のコンピュータが前記供給されたプログラムコードを読み出して実行することによっても達成される場合を含む。
【００３６】
従って、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【００３７】
また、コンピュータが、読み出したプログラムを実行することによって、前述した実施形態の機能が実現される。更に、そのプログラムの指示に基づき、コンピュータ上で稼動しているＯＳ等が、実際の処理の一部又は全部を行い、その処理によっても前述した実施形態の機能が実現され得る。
【００３８】
更に、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵ等が実際の処理の一部又は全部を行い、その処理によっても前述した実施形態の機能が実現される。
【図面の簡単な説明】
【００３９】
【図１】コンテンツ管理装置の機能構成を示す図である。
【図２】コンテンツ管理装置の概略構成を示すブロック図である。
【図３】コンテンツ管理装置の処理動作を示すフローチャートである。
【図４】コンテンツ管理装置の処理動作を示すフローチャートである。
【図５】検索サブフォルダ作成画面の一例を示す図である。
【図６】コンテンツの一覧を示す図である。
【図７】検索フォルダＫ１が作成されたときのフォルダ構成を示す図である。
【図８】検索サブフォルダＳ１が作成されたときのフォルダ構成を示す図である。
【図９】「その他」フォルダが作成されたときのフォルダ構成を示す図である。
【図１０】検索サブフォルダＳ２が作成されたときのフォルダ構成を示す図である。
【符号の説明】
【００４０】
１００  コンテンツ管理装置
１０１  検索フォルダ作成部
１０２  検索サブフォルダ作成部
１０３  「その他」フォルダ作成部
１０４  検索部
１０５  検索サブフォルダ作成促進表示部
【図１】
2010092118.tif 000003
【図２】
2010092118.tif 000004
【図３】
2010092118.tif 000005
【図４】
2010092118.tif 000006
【図５】
2010092118.tif 000007
【図６】
2010092118.tif 000008
【図７】
2010092118.tif 000009
【図８】
2010092118.tif 000010
【図９】
2010092118.tif 000011
【図１０】
2010092118.tif 000012